(57)【要約】【課題】小型なスピーカであっても画面の表示にあった良好なステレオ・サラウンド効果を得ることができる情報端末装置及び音響制御方法並びにプログラムを提供すること。【解決手段】制御部８は、姿勢検出部７で検出した情報端末装置の姿勢に応じて、表示部２の画像の向きを切り替えるとともに、３つ以上のスピーカ４、５、６のうち、ユーザに対して右側のスピーカの少なくとも１つに右チャンネルの中高域のステレオ信号が入力され、ユーザに対して左側のスピーカの少なくとも１つに左チャンネルの中高域のスピーカ信号が入力され、かつ、その他のスピーカに前記低域のモノラル信号が入力されるようにセレクタ１６を制御する。【選択図】図２
2014175670.tif 000002
【特許請求の範囲】
【請求項１】
画像を表示する表示部と、
前記表示部の周囲の所定の位置に配置されるとともに、音情報を出力する３つ以上のスピーカと、
前記音情報のうち左チャンネルのステレオ信号を所定周波数未満の低域のステレオ信号と、前記所定周波数以上の中高域のステレオ信号との２つに分割する第１フィルタと、
前記音情報のうち右チャンネルのステレオ信号を前記所定周波数未満の低域のステレオ信号と、前記所定周波数以上の中高域のステレオ信号との２つに分割する第２フィルタと、
前記第１フィルタからの前記左チャンネルの低域のステレオ信号と、前記第２フィルタからの前記右チャンネルの低域のステレオ信号と、を合成した低域のモノラル信号を生成するミキサと、
前記第１フィルタからの前記左チャンネルの中高域のステレオ信号と、前記第２フィルタからの前記右チャンネルの中高域のステレオ信号と、前記ミキサからの前記低域のモノラル信号と、を前記３つ以上のスピーカに振り分けるセレクタと、
ユーザが保持している情報端末装置の姿勢を検出する姿勢検出部と、
前記姿勢検出部で検出した前記情報端末装置の姿勢に応じて、前記表示部の前記画像の向きを切り替えるとともに、前記スピーカに入力される信号を切り替えるように前記セレクタを制御する制御部と、
を備え、
前記制御部は、前記３つ以上のスピーカのうち、ユーザに対して右側のスピーカの少なくとも１つに前記右チャンネルの中高域のステレオ信号が入力され、前記ユーザに対して左側のスピーカの少なくとも１つに前記左チャンネルの中高域のスピーカ信号が入力され、かつ、その他のスピーカに前記低域のモノラル信号が入力されるように前記セレクタを制御することを特徴とする情報端末装置。
【請求項２】
前記制御部の制御に応じて、前記第１フィルタからの前記左チャンネルの中高域のステレオ信号と、前記第２フィルタからの前記右チャンネルの中高域のステレオ信号と、前記ミキサからの前記低域のモノラル信号と、の増幅量を変えて前記セレクタに向けて出力するイコライザを備えることを特徴とする請求項１記載の情報端末装置。
【請求項３】
前記制御部は、
音量設定が所定値未満又は音質重視設定のときに、前記第１フィルタからの前記左チャンネルの中高域のステレオ信号と、前記第２フィルタからの前記右チャンネルの中高域のステレオ信号と、前記ミキサからの前記低域のモノラル信号と、を増幅させないように制御し、
前記音量設定が前記所定値以上又は音量重視設定のときに、前記第１フィルタからの前記左チャンネルの中高域のステレオ信号と、前記第２フィルタからの前記右チャンネルの中高域のステレオ信号と、を増幅させ、かつ、前記ミキサからの前記低域のモノラル信号を増幅させないように制御することを特徴とする請求項２記載の情報端末装置。
【請求項４】
前記制御部は、前記３つ以上のスピーカのうち、
前記ユーザに対して右側のスピーカの少なくとも１つに前記右チャンネルの中高域のステレオ信号、及び、前記低域のモノラル信号が入力され、
前記ユーザに対して左側のスピーカの少なくとも１つに前記左チャンネルの中高域のスピーカ信号、及び、前記低域のモノラル信号が入力され、かつ、
前記その他のスピーカに前記低域のモノラル信号が入力されるように前記セレクタを制御することを特徴とする請求項１乃至３のいずれか一に記載の情報端末装置。
【請求項５】
前記姿勢検出部は、地磁気を利用して、ユーザが保持している前記情報端末装置の姿勢を検出する地磁気センサであることを特徴とする請求項１乃至４のいずれか一に記載の情報端末装置。
【請求項６】
前記姿勢検出部は、
前記表示部側の面に配置されるとともに、動画又は静止画を撮影するカメラと、
前記カメラで撮影された画像に係る信号を画像解析してユーザの顔の向きを認識する画像認識部と、
を備えることを特徴とする請求項１乃至４のいずれか一に記載の情報端末装置。
【請求項７】
前記３つ以上のスピーカは、前記表示部側の面の矩形状の四隅のうちいずれか３つ以上の部分に配置されていることを特徴とする請求項１乃至６のいずれか一に記載の情報端末装置。
【請求項８】
前記３つ以上のスピーカは、前記表示部側の面の矩形状の四辺の各辺ののうちいずれか３つ以上の辺の中央付近に配置されていることを特徴とする請求項１乃至６のいずれか一に記載の情報端末装置。
【請求項９】
画像を表示する表示部と、前記表示部の周囲の所定の位置に配置されるとともに、音情報を出力する３つ以上のスピーカと、前記音情報のうち左チャンネルのステレオ信号を所定周波数未満の低域のステレオ信号と、前記所定周波数以上の中高域のステレオ信号との２つに分割する第１フィルタと、前記音情報のうち右チャンネルのステレオ信号を前記所定周波数未満の低域のステレオ信号と、前記所定周波数以上の中高域のステレオ信号との２つに分割する第２フィルタと、前記第１フィルタからの前記左チャンネルの低域のステレオ信号と、前記第２フィルタからの前記右チャンネルの低域のステレオ信号と、を合成した低域のモノラル信号を生成するミキサと、前記第１フィルタからの前記左チャンネルの中高域のステレオ信号と、前記第２フィルタからの前記右チャンネルの中高域のステレオ信号と、前記ミキサからの前記低域のモノラル信号と、を前記３つ以上のスピーカに振り分けるセレクタと、ユーザが保持している情報端末装置の姿勢を検出する姿勢検出部と、前記表示部及び前記セレクタを制御する制御部と、を備える情報端末装置を用いて音響を制御する音響制御方法であって、
前記制御部において、前記姿勢検出部で検出した前記情報端末装置の姿勢に応じて、前記表示部の前記画像の向きを切り替えるとともに、前記３つ以上のスピーカのうち、ユーザに対して右側のスピーカの少なくとも１つに前記右チャンネルの中高域のステレオ信号が入力され、前記ユーザに対して左側のスピーカの少なくとも１つに前記左チャンネルの中高域のスピーカ信号が入力され、かつ、その他のスピーカに前記低域のモノラル信号が入力されるように前記セレクタを制御する工程を含むことを特徴とする音響制御方法。
【請求項１０】
画像を表示する表示部と、前記表示部の周囲の所定の位置に配置されるとともに、音情報を出力する３つ以上のスピーカと、前記音情報のうち左チャンネルのステレオ信号を所定周波数未満の低域のステレオ信号と、前記所定周波数以上の中高域のステレオ信号との２つに分割する第１フィルタと、前記音情報のうち右チャンネルのステレオ信号を前記所定周波数未満の低域のステレオ信号と、前記所定周波数以上の中高域のステレオ信号との２つに分割する第２フィルタと、前記第１フィルタからの前記左チャンネルの低域のステレオ信号と、前記第２フィルタからの前記右チャンネルの低域のステレオ信号と、を合成した低域のモノラル信号を生成するミキサと、前記第１フィルタからの前記左チャンネルの中高域のステレオ信号と、前記第２フィルタからの前記右チャンネルの中高域のステレオ信号と、前記ミキサからの前記低域のモノラル信号と、を前記３つ以上のスピーカに振り分けるセレクタと、ユーザが保持している情報端末装置の姿勢を検出する姿勢検出部と、前記表示部及び前記セレクタを制御する制御部と、を備える情報端末装置を用いて音響を制御するプログラムであって、
前記制御部において、前記姿勢検出部で検出した前記情報端末装置の姿勢に応じて、前記表示部の前記画像の向きを切り替えるとともに、前記３つ以上のスピーカのうち、ユーザに対して右側のスピーカの少なくとも１つに前記右チャンネルの中高域のステレオ信号が入力され、前記ユーザに対して左側のスピーカの少なくとも１つに前記左チャンネルの中高域のスピーカ信号が入力され、かつ、その他のスピーカに前記低域のモノラル信号が入力されるように前記セレクタを制御するステップを実行させることを特徴とするプログラム。
【発明の詳細な説明】
【技術分野】
【０００１】
本発明は、複数のスピーカを有する情報端末装置及び音響制御方法並びにプログラムに関する。
【背景技術】
【０００２】
近年、５インチ以上の表示部とステレオスピーカとを搭載したタブレット端末を代表とする情報端末装置が多く普及している。現在の情報端末装置において、画面の表示を伴う動画や音楽、ゲームなどを実行する場合の音声、音楽、効果音をスピーカから出力する場合、スピーカの出力音はユーザに対して右側に配置されたスピーカからは右チャンネルの音が出力し、ユーザに対して左側に配置されたスピーカからは左チャンネルの音が出力することで、画面の表示にあったステレオ、サラウンド効果を得ることができる。
【０００３】
しかしながら、２つのスピーカの配置が、例えば、情報端末装置における表示部の下部の左右に実装されている場合は、ユーザが装置を９０度回転させて保持した場合は、２つのスピーカはユーザに対して左右に配置されず、ユーザに対して右側又は左側に２つ配置されることになり画面の表示にあった良好なステレオ・サラウンド効果を得ることはできないという問題がある。
【０００４】
そのような問題を解決する技術として、重力方向を検出する加速度センサと、加速度センサの制御及び加速度センサの検出結果の解析を実施するセンサ制御部と、加速度センサの検出結果をセンサ制御部が解析した結果から、アナログ信号に変換された左チャンネル及び右チャンネルの信号を、２つのスピーカのいずれから出力するかを切り替える音楽パス制御部と、ＣＰＵが処理を行う上で必要な制御プログラム及び音楽データを格納するＲＯＭと、ＣＰＵが処理を行う上で一時的に必要とされる制御プログラム及びデータを展開する領域を有するＲＡＭと、を備えるものがある（特許文献１参照）。
【先行技術文献】
【特許文献】
【０００５】
【特許文献１】特開２０１０−２６３５５９号公報
【発明の概要】
【発明が解決しようとする課題】
【０００６】
以下の分析は、本願発明者により与えられる。
【０００７】
しかしながら、情報端末装置に実装されるスピーカは小型なスピーカであることが多く、小型なスピーカである場合には、スピーカへの最大許容入力が低く制限されるため、入力信号の帯域を制限しないと十分なレベルの信号を入力することができない。つまり、小型なスピーカである場合、過大入力による音割れやスピーカの破損リスクの増大などのリスクを回避するために、音量を小さくせざるをえず、良好なステレオ・サラウンド効果を得ることができなかった。
【０００８】
本発明の主な課題は、小型なスピーカであっても画面の表示にあった良好なステレオ・サラウンド効果を得ることができる情報端末装置及び音響制御方法並びにプログラムを提供することである。
【課題を解決するための手段】
【０００９】
本発明の第１の視点においては、情報端末装置において、画像を表示する表示部と、前記表示部の周囲の所定の位置に配置されるとともに、音情報を出力する３つ以上のスピーカと、前記音情報のうち左チャンネルのステレオ信号を所定周波数未満の低域のステレオ信号と、前記所定周波数以上の中高域のステレオ信号との２つに分割する第１フィルタと、前記音情報のうち右チャンネルのステレオ信号を前記所定周波数未満の低域のステレオ信号と、前記所定周波数以上の中高域のステレオ信号との２つに分割する第２フィルタと、前記第１フィルタからの前記左チャンネルの低域のステレオ信号と、前記第２フィルタからの前記右チャンネルの低域のステレオ信号と、を合成した低域のモノラル信号を生成するミキサと、前記第１フィルタからの前記左チャンネルの中高域のステレオ信号と、前記第２フィルタからの前記右チャンネルの中高域のステレオ信号と、前記ミキサからの前記低域のモノラル信号と、を前記３つ以上のスピーカに振り分けるセレクタと、ユーザが保持している情報端末装置の姿勢を検出する姿勢検出部と、前記姿勢検出部で検出した前記情報端末装置の姿勢に応じて、前記表示部の前記画像の向きを切り替えるとともに、前記スピーカに入力される信号を切り替えるように前記セレクタを制御する制御部と、を備え、前記制御部は、前記３つ以上のスピーカのうち、ユーザに対して右側のスピーカの少なくとも１つに前記右チャンネルの中高域のステレオ信号が入力され、前記ユーザに対して左側のスピーカの少なくとも１つに前記左チャンネルの中高域のスピーカ信号が入力され、かつ、その他のスピーカに前記低域のモノラル信号が入力されるように前記セレクタを制御することを特徴とする。
【００１０】
本発明の第２の視点においては、画像を表示する表示部と、前記表示部の周囲の所定の位置に配置されるとともに、音情報を出力する３つ以上のスピーカと、前記音情報のうち左チャンネルのステレオ信号を所定周波数未満の低域のステレオ信号と、前記所定周波数以上の中高域のステレオ信号との２つに分割する第１フィルタと、前記音情報のうち右チャンネルのステレオ信号を前記所定周波数未満の低域のステレオ信号と、前記所定周波数以上の中高域のステレオ信号との２つに分割する第２フィルタと、前記第１フィルタからの前記左チャンネルの低域のステレオ信号と、前記第２フィルタからの前記右チャンネルの低域のステレオ信号と、を合成した低域のモノラル信号を生成するミキサと、前記第１フィルタからの前記左チャンネルの中高域のステレオ信号と、前記第２フィルタからの前記右チャンネルの中高域のステレオ信号と、前記ミキサからの前記低域のモノラル信号と、を前記３つ以上のスピーカに振り分けるセレクタと、ユーザが保持している情報端末装置の姿勢を検出する姿勢検出部と、前記表示部及び前記セレクタを制御する制御部と、を備える情報端末装置を用いて音響を制御する音響制御方法であって、前記制御部において、前記姿勢検出部で検出した前記情報端末装置の姿勢に応じて、前記表示部の前記画像の向きを切り替えるとともに、前記３つ以上のスピーカのうち、ユーザに対して右側のスピーカの少なくとも１つに前記右チャンネルの中高域のステレオ信号が入力され、前記ユーザに対して左側のスピーカの少なくとも１つに前記左チャンネルの中高域のスピーカ信号が入力され、かつ、その他のスピーカに前記低域のモノラル信号が入力されるように前記セレクタを制御する工程を含むことを特徴とする。
【００１１】
本発明の第３の視点においては、画像を表示する表示部と、前記表示部の周囲の所定の位置に配置されるとともに、音情報を出力する３つ以上のスピーカと、前記音情報のうち左チャンネルのステレオ信号を所定周波数未満の低域のステレオ信号と、前記所定周波数以上の中高域のステレオ信号との２つに分割する第１フィルタと、前記音情報のうち右チャンネルのステレオ信号を前記所定周波数未満の低域のステレオ信号と、前記所定周波数以上の中高域のステレオ信号との２つに分割する第２フィルタと、前記第１フィルタからの前記左チャンネルの低域のステレオ信号と、前記第２フィルタからの前記右チャンネルの低域のステレオ信号と、を合成した低域のモノラル信号を生成するミキサと、前記第１フィルタからの前記左チャンネルの中高域のステレオ信号と、前記第２フィルタからの前記右チャンネルの中高域のステレオ信号と、前記ミキサからの前記低域のモノラル信号と、を前記３つ以上のスピーカに振り分けるセレクタと、ユーザが保持している情報端末装置の姿勢を検出する姿勢検出部と、前記表示部及び前記セレクタを制御する制御部と、を備える情報端末装置を用いて音響を制御するプログラムであって、前記制御部において、前記姿勢検出部で検出した前記情報端末装置の姿勢に応じて、前記表示部の前記画像の向きを切り替えるとともに、前記３つ以上のスピーカのうち、ユーザに対して右側のスピーカの少なくとも１つに前記右チャンネルの中高域のステレオ信号が入力され、前記ユーザに対して左側のスピーカの少なくとも１つに前記左チャンネルの中高域のスピーカ信号が入力され、かつ、その他のスピーカに前記低域のモノラル信号が入力されるように前記セレクタを制御するステップを実行させることを特徴とする。
【発明の効果】
【００１２】
本発明によれば、ユーザの向きに応じて低音域が豊かで良好なステレオ、サラウンド効果を得ることが可能である。
【図面の簡単な説明】
【００１３】
【図１】本発明の実施形態１に係る情報端末装置の外観構成を模式的に示した外観図である。
【図２】本発明の実施形態１に係る情報端末装置の回路構成を模式的に示したブロック図である。
【図３】本発明の実施形態１に係る情報端末装置で動画等を視聴するときに重力方向に対して装置の姿勢を変えた際の状態Ａ〜Ｄを示した図である。
【図４】本発明の実施形態１に係る情報端末装置で動画等を視聴するときに重力方向に対して装置の姿勢を変えた際の図３の状態Ａ〜Ｄと各スピーカの出力設定との対応関係を示した表である。
【図５】本発明の実施形態１に係る情報端末装置で動画等を視聴するときに重力方向に対して装置の姿勢を変えた際の動作を模式的に示したフローチャート図である。
【図６】本発明の実施形態１に係る情報端末装置で動画等を視聴するときに重力方向に対して装置の姿勢を変えた際の状態Ｄのスピーカ出力設定の回路状態を模式的に示したブロック図である。
【図７】一般的なダイナミックスピーカの周波数特性を示した図である。
【図８】本発明の実施形態２に係る情報端末装置の回路構成を模式的に示したブロック図である。
【図９】本発明の実施形態２に係る情報端末装置で動画等を視聴するときに重力方向に対して装置の姿勢を変えた際の状態Ａでの音量設定に対するスピーカ出力設定を示した表である。
【図１０】本発明の実施形態２に係る情報端末装置で動画等を視聴するときに重力方向に対して装置の姿勢を変えた際の状態Ａでの音量設定に対するスピーカの低域及び中広域の出力音圧を示した図である。
【図１１】本発明の実施形態３に係る情報端末装置で動画等を視聴するときに重力方向に対して装置の姿勢を変えた際の状態Ａでの音量設定に対するスピーカ出力設定を示した表である。
【図１２】本発明の実施形態４に係る情報端末装置の外観構成を模式的に示した外観図である。
【図１３】本発明の実施形態４に係る情報端末装置の回路構成を模式的に示したブロック図である。
【図１４】本発明の実施形態５に係る情報端末装置の外観構成を模式的に示した外観図である。
【図１５】本発明の実施形態６に係る情報端末装置の外観構成を模式的に示した外観図である。
【図１６】本発明の実施形態７に係る情報端末装置の外観構成を模式的に示した外観図である。
【発明を実施するための形態】
【００１４】
［実施形態１］
本発明の実施形態１に係る情報端末装置について図面を用いて説明する。図１は、本発明の実施形態１に係る情報端末装置の外観構成を模式的に示した外観図である。図２は、本発明の実施形態１に係る情報端末装置の回路構成を模式的に示したブロック図である。
【００１５】
図１を参照すると、情報端末装置１は、動画、静止画等の画像を表示するとともに、音声、音楽等の音情報を出力する装置である。情報端末装置１には、例えば、タブレット端末、携帯電話機、無線機、ポータブルＤＶＤプレイヤー、携帯テレビ、ポータブルオーディなど等とすることができる。情報端末装置１は、矩形状で薄い板状に形成されている。情報端末装置１は、重力方向に対して装置の姿勢（方向、向き、傾き）の変化に応じて、画面の向き、及び、音声情報の出力位置を変更する機能を有する。また、情報端末装置１は、ステレオ・サラウンド効果を有する音声情報を出力する機能を有し、所定周波数未満の低域の音声情報と、所定周波数以上の中高域の音声情報と、を分けて出力する機能を有する。情報端末装置１は、センターウーハを利用した３Ｄ、２．１ｃｈ、あるいはサブウーハシステムを有するものとすることができる。情報端末装置１は、表示部２と、操作部３と、スピーカ４、５、６と、姿勢検出部７と、制御部８と、コーデック１１（ＣＯＤＥＣ）と、デジタルフィルタ１２、１３（ＤＦ）と、ミキサ１４（ＭＩＸ）と、セレクタ１６と、Ｄ／Ａコンバータ１７、１８、１９と、スピーカアンプ２０、２１、２２と、を有する（図１、図２参照）。
【００１６】
表示部２は、動画、静止画、操作画面、Ｗｅｂ画面、写真等の画面を表示する機能部である（図１、図２参照）。表示部２は、例えば、情報端末装置１の筐体の片側の面（両面でも可）の窓から見えるように配置することができる。表示部２には、例えば、液晶ディスプレイ（ＬＣＤ；Liquid Crystal Display）、有機ＥＬディスプレイ（organic electroluminescence display）等を用いることができる。表示部２は、操作部３の一部としてタッチパネルを有するものでもよい。表示部２は、制御部８によって画面の内容及び向きが制御される。
【００１７】
操作部３は、情報端末装置１のユーザの操作を入力する機能部である（図１、図２参照）。操作部３には、例えば、情報端末装置１の筐体の片側の面の表示部２の下の領域に配されたスイッチボタンや、表示部２の表面に配されたタッチパネル等を用いることができる。操作部３で操作された情報は、制御部８に向けて出力される。
【００１８】
スピーカ４、５、６は、音声、音楽等の音情報を出力する機能部である（図１、図２参照）。スピーカ４、５、６は、情報端末装置１において３つ以上（図１、図２では３つ）有する。スピーカ４は、例えば、図１に示すように情報端末装置１の筐体の片側の面の表示部２の下の操作部３の左側の領域の放音孔の内部に配置することができる。スピーカ５は、例えば、図１に示すように情報端末装置１の筐体の片側の面の表示部２の下の操作部３の右側の領域の放音孔の内部に実装することができる。スピーカ６は、例えば、図１に示すように情報端末装置１の筐体の片側の面の表示部２の上の右側（左でも可）の領域の放音孔の内部に実装することができる。
【００１９】
姿勢検出部７は、ユーザが保持している情報端末装置１の姿勢（方向、向き、傾き）を検出する機能部である（図１、図２参照）。姿勢検出部７には、例えば、地磁気センサ、重力センサ、加速度センサ等を用いることができる。姿勢検出部７は、情報端末装置１の内部に実装することができる。姿勢検出部７は、検出した情報端末装置１の姿勢に係る信号を制御部８に向けて出力する。
【００２０】
制御部８は、所定のプログラムを実行することで情報処理及び制御を行うコンピュータ機能を有する機能部である（図２参照）。制御部８は、姿勢検出部７で検出した情報端末装置１の姿勢に係る信号に基づいて、表示部２の画面の向きを切り替えるのと同時に、セレクタ１６を制御することによって各スピーカ４、５、６への入力信号を切り替える。
【００２１】
制御部８は、セレクタ１６の制御において、表示部２の画面の向きに合わせて右チャンネル、左チャンネル、ウーハの各信号を適正なスピーカから出力するように選択（振り分け）し、情報端末装置１のユーザに対して、左側のスピーカ（図１ではスピーカ４）からは左チャンネルの中高域のステレオ信号、右側のスピーカ（図１ではスピーカ５）からは右チャンネルの中高域のステレオ信号、その他のスピーカ（図１ではスピーカ６）からはウーハとして低域のモノラル信号を入力するように制御する。つまり、制御部８は、セレクタ１６の制御において、情報端末装置１のユーザに対して３Ｄ化、ステレオ化を実現するように入力信号の入力先となるスピーカ４、５、６を決める。
【００２２】
コーデック１１（ＣＯＤＥＣ；COder/DECoder）は、一定の規則に従ってデータの符号化・復号化を双方向にできる電子回路（ＩＣ、ソフトウェアでも可）である（図２参照）。コーデック１１は、図示しない無線回路、内蔵メモリ、外部メモリ等の音源からの音声や音楽等の音声情報に係る信号（符号化された状態の信号）を復号化し、ステレオのデジタル信号（ステレオ信号）を生成する。コーデック１１は、生成されたステレオ信号のうち、左チャンネル（Ｌ）のステレオ信号をデジタルフィルタ１２に向けて出力し、右チャンネル（Ｒ）のステレオ信号をデジタルフィルタ１３に向けて出力する。
【００２３】
デジタルフィルタ１２、１３（ＤＦ）は、入力信号を周波数が所定値未満の低域と、所定値以上の中高域の２つの帯域に分割する電子回路（ソフトウェアでも可）である（図２参照）。デジタルフィルタ１２は、コーデック１１からの左チャンネル（Ｌ）のステレオ信号が入力され、入力された左チャンネル（Ｌ）のステレオ信号を低域、中高域の２つの帯域に分割し、分割された左チャンネル（Ｌ）の中高域のステレオ信号をセレクタ１６に向けて出力し、分割された左チャンネル（Ｌ）の低域のステレオ信号をミキサ１４に向けて出力する。デジタルフィルタ１３は、コーデック１１からの右チャンネル（Ｒ）のステレオ信号が入力され、入力された右チャンネル（Ｒ）のステレオ信号を低域、中高域の２つの帯域に分割し、分割された右チャンネル（Ｒ）の中高域のステレオ信号をセレクタ１６に向けて出力し、分割された右チャンネル（Ｒ）の低域のステレオ信号をミキサ１４に向けて出力する。
【００２４】
ミキサ１４（ＭＩＸ）は、左チャンネル（Ｌ）の低域のステレオ信号と右チャンネル（Ｒ）の低域のステレオ信号とを合成（モノラル化）した低域のモノラル信号を生成する電子回路（ソフトウェアでも可）である（図２参照）。ミキサ１４は、デジタルフィルタ１２からの左チャンネル（Ｌ）の低域のステレオ信号と、デジタルフィルタ１３からの右チャンネル（Ｒ）の低域のステレオ信号と、が入力され、入力された２つの低域のステレオ信号を合成した低域のモノラル信号（ここではモノラルのデジタル信号）を生成し、生成された低域のモノラル信号をセレクタ１６に向けて出力する。
【００２５】
セレクタ１６（ＳＥＬＥＣ）は、制御部８の制御に応じて、入力された各信号（左チャンネル（Ｌ）の中高域のステレオ信号、右チャンネル（Ｒ）の中高域のステレオ信号、低域のモノラル信号）を、所定のスピーカ４、５、６に割り当てる電子回路（ソフトウェアでも可）である（図２参照）。セレクタ１６は、デジタルフィルタ１２からの左チャンネル（Ｌ）の中高域のステレオ信号、及び、デジタルフィルタ１３からの右チャンネル（Ｒ）の中高域のステレオ信号、並びに、ミキサ１４からの低域のモノラル信号（ここではモノラルのデジタル信号）が入力され、制御部８の制御に応じて、入力された各信号を、所定のスピーカ４、５、６に対応するＤ／Ａコンバータ１７、１８、１９に割り当て、割り当てた各信号を、対応するＤ／Ａコンバータ１７、１８、１９に向けて出力する。
【００２６】
Ｄ／Ａコンバータ１７、１８、１９（ＤＡＣ）は、セレクタ１６からのデジタル信号をアナログ信号に変換して、対応するスピーカアンプ２０、２１、２２に向けて出力する電子回路（ソフトウェアでも可）である（図２参照）。
【００２７】
スピーカアンプ２０、２１、２２（ＡＭＰ）は、Ｄ／Ａコンバータ１７、１８、１９からのアナログ信号を増幅して、対応するスピーカ４、５、６に向けて出力する電子回路（ソフトウェアでも可）である（図２参照）。
【００２８】
なお、実施形態１に係る情報端末装置１において、直接関係の無い電池、アンテナ、無線回路、内蔵メモリ、外部メモリ、表示部２の駆動回路等は省略（図示せず）している。
【００２９】
本発明の実施形態１に係る情報端末装置の動作について図面を用いて説明する。図３は、本発明の実施形態１に係る情報端末装置で動画等を視聴するときに重力方向に対して装置の姿勢を変えた際の状態Ａ〜Ｄを示した図である。図４は、本発明の実施形態１に係る情報端末装置で動画等を視聴するときに重力方向に対して装置の姿勢を変えた際の図３の状態Ａ〜Ｄと各スピーカの出力設定との対応関係を示した表である。
【００３０】
情報端末装置１で動画を視聴している時に、装置の向きを変えた際、情報端末装置１は、姿勢検出部７により重力方向に対して装置の向きを検出し、制御部８にて、ユーザに対する画面の向きを算出し、算出した画面の向きに基づいて表示部２の画面の向きを変え、算出した画面の向きに対応してセレクタ１６を制御することによって各スピーカ４、５、６への入力信号を図３及び図４となるように割り当てる。
【００３１】
図３の状態Ａは、ユーザが情報端末装置１の操作部３を下に保持した場合である。状態Ａでは、表示部２に表示される画像は操作部３を下として表示される。また、状態Ａでは、各スピーカ４、５、６から出力される音声は、図４に示す通り、第１スピーカ４からは左チャンネルの中高域のステレオ信号（Ｌ  ｃｈ（Ｍｉｄ＋Ｈｉ））、第２スピーカ５からは右チャンネルの中高域のステレオ信号（Ｒ  ｃｈ（Ｍｉｄ＋Ｈｉ））、第３スピーカ６からは左チャンネルと右チャンネルの低域のステレオ信号が合成された低域のモノラル信号（Ｌ＋Ｒ  ｃｈ（Ｌｏ））がそれぞれ出力される。
【００３２】
図３の状態Ｂは、ユーザが情報端末装置１の操作部３をユーザに向かって右にし、かつ、第１スピーカ４を下に保持した場合である。状態Ｂでは、表示部２に表示される画像は第１スピーカ４側の辺を下として表示される。また、状態Ｂでは、各スピーカ４、５、６から出力される音声は、図４に示す通り第１スピーカ４からは左チャンネルと右チャンネルの低域のステレオ信号が合成された低域のモノラル信号（Ｌ＋Ｒ  ｃｈ（Ｌｏ））、第２スピーカ５からは右チャンネルの中高域のステレオ信号（Ｒ  ｃｈ（Ｍｉｄ＋Ｈｉ））、第３スピーカ６からは左チャンネルの中高域のステレオ信号（Ｌ  ｃｈ（Ｍｉｄ＋Ｈｉ））がそれぞれ出力される。
【００３３】
図３の状態Ｃは、ユーザが情報端末装置１の操作部３を上に保持した場合である。状態Ｃでは、表示部２に表示される画像は操作部３を上として表示される。また、状態Ｃでは、各スピーカ４、５、６から出力される音声は、図４に示す通り、第１スピーカ４からは右チャンネルの中高域のステレオ信号（Ｒ  ｃｈ（Ｍｉｄ＋Ｈｉ））、第２スピーカ５からは左チャンネルの中高域のステレオ信号（Ｌ  ｃｈ（Ｍｉｄ＋Ｈｉ））、第３スピーカ６からは左チャンネルと右チャンネルの低域のステレオ信号が合成された低域のモノラル信号（Ｌ＋Ｒ  ｃｈ（Ｌｏ））がそれぞれ出力される。
【００３４】
図３の状態Ｄは、ユーザが情報端末装置１の操作部３をユーザに向かって左にし、かつ、第１スピーカ４を上に保持した場合である。状態Ｄでは、表示部２に表示される画像は第１スピーカ４側の辺を下として表示される。また、状態Ｄでは、各スピーカ４、５、６から出力される音声は、図４に示す通り第１スピーカ４はからは左チャンネルと右チャンネルの低域のステレオ信号が合成された低域のモノラル信号（Ｌ＋Ｒ  ｃｈ（Ｌｏ））、第２スピーカ５からは左チャンネルの中高域のステレオ信号（Ｌ  ｃｈ（Ｍｉｄ＋Ｈｉ））、第３スピーカ６からは右チャンネルの中高域のステレオ信号（Ｒ  ｃｈ（Ｍｉｄ＋Ｈｉ））がそれぞれ出力される。
【００３５】
以上のように、情報端末装置１の状態（姿勢、向き、傾き）により画面表示の向きが切り替えられ、画面の向きにあった音声情報に係る各信号が各スピーカ４、５、６に割り当てられて出力されることにより、ユーザは画面にあったステレオ・サラウンド感の良い出力音で動画等を視聴することができる。
【００３６】
次に、本発明の実施形態１に係る情報端末装置で動画等を視聴するときに重力方向に対して装置の姿勢を変えた際の画面の向きの切り替え動作と各スピーカの出力設定の切り替え時の動作について図面を用いて説明する。図５は、本発明の実施形態１に係る情報端末装置で動画等を視聴するときに重力方向に対して装置の姿勢を変えた際の動作を模式的に示したフローチャート図である。
【００３７】
まず、情報端末装置１は、ユーザの操作部３の操作により、表示部２で待ち受け画面（機能（アイコン）選択画面を表示）を表示し（ステップＡ１）、その後、ユーザの操作部３の操作により、表示部２で表示された待ち受け画面中の機能選択画面のうち画像及び音情報の出力を伴う機能（例えば、動画再生機能、音楽再生機能、ゲーム等）を選択すると（ステップＡ２）、姿勢検出部７により装置の姿勢（重力方向に対する向き）の検出を開始し、検出した姿勢に係る信号を姿勢検出部７から制御部８に向けて出力する（ステップＡ３）。
【００３８】
次に、情報端末装置１は、姿勢に係る信号が制御部８に入力されると、制御部８にて装置の姿勢が状態Ａ（図３参照）であるか判定する（ステップＡ４）。状態Ａである場合（ステップＡ４のＹＥＳ）、ステップＡ８に進む。
【００３９】
状態Ａでない場合（ステップＡ４のＮＯ）、情報端末装置１は、制御部８にて装置の姿勢が状態Ｂ（図３参照）であるか判定する（ステップＡ５）。状態Ｂである場合（ステップＡ５のＹＥＳ）、ステップＡ９に進む。
【００４０】
状態Ｂでない場合（ステップＡ５のＮＯ）、情報端末装置１は、制御部８にて装置の姿勢が状態Ｃ（図３参照）であるか判定する（ステップＡ６）。状態Ｃである場合（ステップＡ６のＹＥＳ）、ステップＡ１０に進む。
【００４１】
状態Ｃでない場合（ステップＡ６のＮＯ）、情報端末装置１は、制御部８にて、装置の姿勢が状態Ｄであると判定し、判定された状態Ｄに対応するスピーカ出力設定（図４参照）を選択し（ステップＡ７）、その後、ステップＡ１１に進む。
【００４２】
状態Ａである場合（ステップＡ４のＹＥＳ）、情報端末装置１は、制御部８にて、判定された状態Ａに対応するスピーカ出力設定（図４参照）を選択し（ステップＡ８）、その後、ステップＡ１１に進む。
【００４３】
状態Ｂである場合（ステップＡ５のＹＥＳ）、情報端末装置１は、制御部８にて、判定された状態Ｂに対応するスピーカ出力設定（図４参照）を選択し（ステップＡ９）、その後、ステップＡ１１に進む。
【００４４】
状態Ｃである場合（ステップＡ６のＹＥＳ）、情報端末装置１は、制御部８にて、状態Ｃに対応するスピーカ出力設定（図４参照）を選択し（ステップＡ１０）、その後、ステップＡ１１に進む。
【００４５】
ステップＡ７、Ａ８、Ａ９、Ａ１０のいずれか１つの後、情報端末装置１は、制御部８の制御により、判定された装置の姿勢（状態Ａ、状態Ｂ、状態Ｃ、状態Ｄのいずれか１つ）に応じて、表示部２で表示される画面の向き（図３参照）を制御する（ステップＡ１１）。
【００４６】
次に、情報端末装置１は、制御部８にて、選択されたスピーカ出力設定（図４）に基づいてセレクタ１６を制御することにより、各スピーカ４、５、６から、選択されたスピーカ出力設定（図４）の応じた音を出力する（ステップＡ１２）。
【００４７】
ステップＡ１２では、各スピーカ４、５、６から出力される音は、例えば、状態Ａ（図４参照）では、制御部８の制御により、セレクタ１６によって、第１スピーカ４からは左チャンネルの中高域のステレオ信号（Ｌ  ｃｈ（Ｍｉｄ＋Ｈｉ））、第２スピーカ５からは右チャンネルの中高域のステレオ信号（Ｒ  ｃｈ（Ｍｉｄ＋Ｈｉ））、第３スピーカ６からは左チャンネルと右チャンネルの低域のステレオ信号が合成された低域のモノラル信号（Ｌ＋Ｒ  ｃｈ（Ｌｏ））がそれぞれ出力するように割り当てられて、音情報が出力される。その他の装置の姿勢（状態Ｂ、状態Ｃ、状態Ｄ）についても同様である。
【００４８】
ステップＡ１２の後、情報端末装置１は、制御部８にて姿勢検出部７で検出された装置の姿勢に係る信号を定期的に監視し、装置の姿勢に変化があるかを判定する（ステップＡ１３）。装置の姿勢に変化がある場合（ステップＡ１３のＹＥＳ）、ステップＡ４に進み、装置の姿勢にあった画面の向きとスピーカ出力設定の変更を行うことになる。
【００４９】
装置の姿勢に変化がない場合（ステップＡ１３のＮＯ）、情報端末装置１は、画面の向きとスピーカ出力設定を保持する（ステップＡ１４）。
【００５０】
ステップＡ１４の後、情報端末装置１は、制御部８にて、ユーザの操作部３の操作により、ステップＡ２で選択した機能を終了させる操作があったか判定する（ステップＡ１５）。機能を終了させる操作がない場合（ステップＡ１５のＮＯ）、ステップＡ４に進み、装置の姿勢にあった画面の向きとスピーカ出力設定の変更又は維持を行うことになる。
【００５１】
機能を終了させる操作があった場合（ステップＡ１５のＹＥＳ）、情報端末装置１は、表示部２で待ち受け画面（機能（アイコン）選択画面を表示）を表示し（ステップＡ１６）、その後、終了する。
【００５２】
次に、図３〜図５で説明を行った情報端末装置１で動画視聴時に装置の姿勢が状態Ｄとなっているときの各構成部の動作について、図面を用いて説明する。図６は、本発明の実施形態１に係る情報端末装置で動画等を視聴するときに重力方向に対して装置の姿勢を変えた際の状態Ｄのスピーカ出力設定の回路状態を模式的に示したブロック図である。
【００５３】
図５のステップＡ２にて動画再生やゲームなどの画面表示を伴い音情報を出力する機能が選択されると、図示しない無線回路や内蔵メモリ、外部メモリからの画像データと音声や音楽の信号を受信または読み出しが行われ、画像データは表示部２にて表示される。一方、音情報のステレオ信号はＣＯＤＥＣ１１にてデジタル信号として復号化され、デジタルフィルタ１２、１３にてそれぞれ左（Ｌ）チャンネル、右（Ｒ）チャンネルのステレオ信号を低域のステレオ信号（Ｌｏ）と中高域のステレオ信号（Ｍｉｄ＋Ｈｉ））として帯域分割され、ミキサ１４にて左チャンネルの低域のステレオ信号（Ｌ＿Ｌｏ）と右チャンネルの低域のステレオ信号（Ｒ＿Ｌｏ）とが合成されたモノラル信号（Ｌ＋Ｒ＿Ｌｏ）が生成される。このようにして生成された左チャンネルの中高域のステレオ信号（Ｌ＿Ｍｉｄ+Ｈｉ）、右チャンネルの中高域のステレオ信号（Ｒ＿Ｍｉｄ+Ｈｉ）、低域のモノラル信号（Ｌ＋Ｒ＿Ｌｏ）の３つの信号は、セレクタ１６に向けて出力される。
【００５４】
ここで、ステレオ信号の帯域分割について図７を用いて説明する。図７は、一般的なダイナミックスピーカの周波数特性を示した図である。図７のスピーカが持つ最低共振周波数ｆ０より低い周波数帯域を低域（Ｌｏ）、ｆ０から、例えば、６ｋＨｚ未満を中域（Ｍｉｄ）、６ｋＨｚ以上の帯域を高域（Ｈｉ）と定義し分割するものとする。なお、本定義は一例でありスピーカ特性に応じて各帯域のレンジを変更してもよい。
【００５５】
セレクタ１６では、図５のステップＡ４〜Ａ１０で行われる姿勢検出部７で検出された装置の重力方向に対する装置の姿勢の判定結果に応じて、制御部８により左チャンネルの中高域信号（Ｌ＿Ｍｉｄ+Ｈｉ）、右チャンネルの中高域信号（Ｒ＿Ｍｉｄ+Ｈｉ）、低域信号（Ｌ＋Ｒ＿Ｌｏ）の３つの信号を図３及び図４の状態Ａ〜Ｄに応じた各スピーカ４、５、６に振り分ける。
【００５６】
例えば、判定結果が状態Ｄ（図３参照）の場合、各スピーカ４、５、６から出力される音声は図４に示す通り第１スピーカ４にはウーハとして低域信号（Ｌ＋Ｒ＿Ｌｏ）、第２スピーカ５には左チャンネルの中高域信号（Ｌ＿Ｍｉｄ+Ｈｉ）、第３スピーカ６には右チャンネルの中高域信号（Ｒ＿Ｍｉｄ+Ｈｉ）がセレクタ１６にて振り分けられる（図６参照）。
【００５７】
セレクタ１６で各スピーカ４、５、６に振り分けられた低域信号（Ｌ＋Ｒ＿Ｌｏ）、左チャンネルの中高域信号（Ｌ＿Ｍｉｄ+Ｈｉ）、右チャンネルの中高域信号（Ｒ＿Ｍｉｄ+Ｈｉ）の各信号は、対応するＤ／Ａコンバータ１７、１８、１９でデジタル信号からアナログ信号に変換され、対応するスピーカアンプ２０、２１、２２で増幅され、各スピーカ４、５、６から音情報として出力される。
【００５８】
図５のステップＡ７〜Ａ１０の各状態Ａ〜Ｄのスピーカ出力設定に合わせて、表示部２で表示される画像の向きも装置の姿勢（図３の状態Ａ〜Ｄ）に併せて変更される。例えば、状態Ｄでは、図３に示すようにスピーカ５、６が実装されている側の辺が下となるように表示部２で画像が表示される。
【００５９】
なお、実施形態１の説明では、動画を試聴時の動作を例に説明を行ったが、音楽再生やゲームのように画面の表示と音楽等の音情報が出力する機能を実行している場合においても同様な制御を行うことが可能である。
【００６０】
実施形態１によれば、装置の姿勢にかかわらず、ユーザの右側に配置されたスピーカからは右チャンネルの中高域信号（Ｒ＿Ｍｉｄ+Ｈｉ）、左側のスピーカからは左チャンネルの中高域信号（Ｌ＿Ｍｉｄ+Ｈｉ）、残るスピーカから低域信号（Ｌ＋Ｒ＿Ｌｏ）を出力することにより、小型なスピーカであっても低音域が豊かで画面の表示にあった良好なステレオ・サラウンド効果が得られる。
【００６１】
［実施形態２］
本発明の実施形態２に係る情報端末装置について図面を用いて説明する。図８は、本発明の実施形態２に係る情報端末装置の回路構成を模式的に示したブロック図である。
【００６２】
実施形態２は、実施形態１の変形例であり、デジタルフィルタ１２からの右チャンネルの中高域信号（Ｒ＿Ｍｉｄ+Ｈｉ）、デジタルフィルタ１３からの左チャンネルの中高域信号（Ｌ＿Ｍｉｄ+Ｈｉ）、ミキサ１４からの低域信号（Ｌ＋Ｒ＿Ｌｏ）の各信号がイコライザ１５を通じてセレクタ１６に入力されるようにしたものである。また、実施形態２では、実施形態１の姿勢検出部（図２の７）の代わりに地磁気センサ３１を用いている。
【００６３】
イコライザ１５は、入力された信号の周波数特性の補正、及び、レベル調整を行って出力することが可能な機能部である。イコライザ１５は、制御部８の制御によって入力された信号の周波数特性の補正、及び、レベル調整を個別に行うことが可能である。イコライザ１５は、ソフトウェアで構成されていてもよい。イコライザ１５は、イコライザ部１５ａ、１５ｂ、１５ｃを有する。
【００６４】
イコライザ部１５ａは、制御部８の制御によってデジタルフィルタ１２からの右チャンネルの中高域信号（Ｒ＿Ｍｉｄ+Ｈｉ）の周波数特性の補正、及び、レベル調整を行うことが可能な機能部である。イコライザ部１５ｂは、制御部８の制御によってデジタルフィルタ１３からの左チャンネルの中高域信号（Ｌ＿Ｍｉｄ+Ｈｉ）の周波数特性の補正、及び、レベル調整を行うことが可能な機能部である。イコライザ部１５ｃは、制御部８の制御によってミキサ１４からの低域信号（Ｌ＋Ｒ＿Ｌｏ）の周波数特性の補正、及び、レベル調整を行うことが可能な機能部である。
【００６５】
地磁気センサ３１は、地磁気を利用して、ユーザが保持している情報端末装置１の姿勢（方向、向き、傾き）を検出する機能部である。地磁気センサ３１は、情報端末装置１の内部に実装することができる。地磁気センサ３１は、検出した情報端末装置１の姿勢に係る信号を制御部８に向けて出力する。
【００６６】
なお、制御部８は、イコライザ１５の各イコライザ部１５ａ、１５ｂ、１５ｃを個別に制御することが可能である。その他の構成は、実施形態１と同様である
【００６７】
次に、本発明の実施形態２に係る情報端末装置の動作について図面を用いて説明する。図９は、本発明の実施形態２に係る情報端末装置で動画等を視聴するときに重力方向に対して装置の姿勢を変えた際の状態Ａでの音量設定に対するスピーカ出力設定を示した表である。図１０は、本発明の実施形態２に係る情報端末装置で動画等を視聴するときに重力方向に対して装置の姿勢を変えた際の状態Ａでの音量設定に対するスピーカの低域及び中広域の出力音圧を示した図である。
【００６８】
例えば、情報端末装置１の姿勢が状態Ａ（図３参照）の場合、音量設定が所定値未満（又は音質重視設定）のときに、制御部８の制御により、第１スピーカ４からは左チャンネルの中高域のステレオ信号（Ｌ  ｃｈ（Ｍｉｄ＋Ｈｉ））、第２スピーカ５からは右チャンネルの中高域のステレオ信号（Ｒ  ｃｈ（Ｍｉｄ＋Ｈｉ））、第３スピーカ６からは左チャンネルと右チャンネルの低域のステレオ信号が合成された低域のモノラル信号（Ｌ＋Ｒ  ｃｈ（Ｌｏ））がそれぞれ出力されるようにセレクタ１６が設定される。このとき、イコライザ１５は、入力された信号の周波数特性の補正、及び、レベル調整を行わないように、制御部８によって制御される（図１０の所定値未満参照）。
【００６９】
状態Ａ（図３参照）の場合に、音量設定が所定値以上（又は音量重視設定）のときに、制御部８の制御により、第１スピーカ４からは左チャンネルの中高域のステレオ信号（Ｌ  ｃｈ（Ｍｉｄ＋Ｈｉ））、第２スピーカ５からは右チャンネルの中高域のステレオ信号（Ｒ  ｃｈ（Ｍｉｄ＋Ｈｉ））、第３スピーカ６からは左チャンネルと右チャンネルの低域のステレオ信号が合成された低域のモノラル信号（Ｌ＋Ｒ  ｃｈ（Ｌｏ））がそれぞれ出力されるようにセレクタ１６が設定される。このとき、イコライザ１５は、入力された中高域のステレオ信号（（Ｌ  ｃｈ（Ｍｉｄ＋Ｈｉ））、Ｒ  ｃｈ（Ｍｉｄ＋Ｈｉ））のレベルを増幅（スピーカの耐入力レベル付近まで増幅）し、かつ、低域のモノラル信号（Ｌ＋Ｒ  ｃｈ（Ｌｏ））の周波数特性の補正、及び、レベル調整を行わないように、制御部８によって制御される（図１０の所定値以上参照）。
【００７０】
なお、状態Ｂ〜状態Ｄ（図３参照）の場合にも、状態Ａの場合と同様に、制御部８によってセレクタ１６及びイコライザ１５を制御する。
【００７１】
また、図１０では、音量設定が所定値未満（小中設定）において、出力音圧は線形性を持って変化し、音量設定が所定値以上（大設定）においては線形直線以上に音量が増幅して出力することを示している。図１０では、音量設定に応じて、各スピーカの出力信号を切り替えているが、音量設定ではなく、音質設定として定義できるようにしてもよい。
【００７２】
実施形態２によれば、実施形態１と同様な効果を奏するとともに、スピーカ４、５、６の音量設定やエフェクト設定（音質重視設定、音量重視設定）に応じて、音量や音質を重視した調整が可能となり、さらに良好なステレオ・サラウンド効果が得られる。特に、音量設定が所定値以上においては、中高域のステレオ信号のレベルを強調した音量を重視した音質で音声や音楽を聴くことができる。
【００７３】
［実施形態３］
本発明の実施形態３に係る情報端末装置について図面を用いて説明する。図１１は、本発明の実施形態３に係る情報端末装置で動画等を視聴するときに重力方向に対して装置の姿勢を変えた際の状態Ａでの音量設定に対するスピーカ出力設定を示した表である。
【００７４】
実施形態３は、実施形態２に変形例であり、音量設定が所定値未満（又は音質重視設定）のときには、全てのスピーカ４、５、６で低域のモノラル信号（Ｌ＋Ｒ  ｃｈ（Ｌｏ））を出力するようにしたものである。つまり、音量設定が所定値未満のとき、低域のモノラル信号をユーザに対して左右のスピーカからも出力するようにセレクタ（図８の１６に相当）を制御可能にしたものである。その他の構成及び動作は、実施形態２と同様である。
【００７５】
例えば、情報端末装置（図８の１に相当）の姿勢が状態Ａ（図３参照）の場合、音量設定が所定値未満（又は音質重視設定）のときに、制御部（図８の８に相当）の制御により、セレクタ（図８の１６に相当）が以下のように設定される。第１スピーカ（図８の４に相当）からは左チャンネルの中高域のステレオ信号（Ｌ  ｃｈ（Ｍｉｄ＋Ｈｉ））、及び、低域のモノラル信号（Ｌ＋Ｒ  ｃｈ（Ｌｏ））が同時に出力される。また、第２スピーカ（図８の５に相当）からは右チャンネルの中高域のステレオ信号（Ｒ  ｃｈ（Ｍｉｄ＋Ｈｉ））、及び、低域のモノラル信号（Ｌ＋Ｒ  ｃｈ（Ｌｏ））が同時に出力される。さらに、第３スピーカ（図８の６に相当）からは左チャンネルと右チャンネルの低域のステレオ信号が合成された低域のモノラル信号（Ｌ＋Ｒ  ｃｈ（Ｌｏ））が出力される。このとき、イコライザ（図８の１５に相当）は、入力された信号の周波数特性の補正、及び、レベル調整を行わないように、制御部（図８の８に相当）によって制御される（図１０の所定値未満参照）。
【００７６】
状態Ａ（図３参照）の場合に、音量設定が所定値以上（又は音量重視設定）のときに、制御部（図８の８に相当）の制御により、第１スピーカ４からは左チャンネルの中高域のステレオ信号（Ｌ  ｃｈ（Ｍｉｄ＋Ｈｉ））、第２スピーカ５からは右チャンネルの中高域のステレオ信号（Ｒ  ｃｈ（Ｍｉｄ＋Ｈｉ））、第３スピーカ６からは左チャンネルと右チャンネルの低域のステレオ信号が合成された低域のモノラル信号（Ｌ＋Ｒ  ｃｈ（Ｌｏ））がそれぞれ出力されるようにセレクタ１６が設定される。つまり、第１スピーカ４及び第２スピーカ５から低域のモノラル信号（Ｌ＋Ｒ  ｃｈ（Ｌｏ））が出力されないようにする。このとき、イコライザ１５は、入力された中高域のステレオ信号（（Ｌ  ｃｈ（Ｍｉｄ＋Ｈｉ））、Ｒ  ｃｈ（Ｍｉｄ＋Ｈｉ））のレベルを増幅（スピーカの耐入力レベル付近まで増幅）し、かつ、低域のモノラル信号（Ｌ＋Ｒ  ｃｈ（Ｌｏ））の周波数特性の補正、及び、レベル調整を行わないように、制御部８によって制御される（図１０の所定値以上参照）。
【００７７】
なお、状態Ｂ〜状態Ｄ（図３参照）の場合にも、状態Ａの場合と同様に、制御部８によってセレクタ１６及びイコライザ１５を制御する。
【００７８】
実施形態３によれば、実施形態２と同様な効果を奏するとともに、音量設定がある所定値未満である場合は、ユーザに対して左右のスピーカからも低域のモノラル信号を出力することで、低音が豊かな音質を重視した特性で出力することが可能である。また、音量設定が所定値以上の設定である場合は、ユーザに対して左右のスピーカからの出力信号はデジタルフィルタ（図８の１２、１３に相当）で帯域分割した中高域のステレオ信号のみを出力することで、音量を重視した特性で出力することが可能である。
【００７９】
［実施形態４］
本発明の実施形態４に係る情報端末装置について図面を用いて説明する。図１２は、本発明の実施形態４に係る情報端末装置の外観構成を模式的に示した外観図である。図１３は、本発明の実施形態４に係る情報端末装置の回路構成を模式的に示したブロック図である。
【００８０】
実施形態４は、実施形態１〜３の変形例であり、ユーザが保持している情報端末装置１の姿勢を検出する手段として姿勢検出部７や地磁気センサ３１の代わりに、カメラ３２及び画像認識部３３を用いたものである。
【００８１】
カメラ３２は、動画又は静止画を撮影する機能部である。カメラ３２は、情報端末装置１における表示部２側の面の表示部２の周囲の部分の所定の位置（図１２では表示部２の上）に実装されている。カメラ３２の動作は、制御部８によって制御される。カメラ３２で撮影された動画又は静止画に係る信号は、画像認識部３３に向けて出力される。
【００８２】
画像認識部３３は、カメラ３２で撮影された画像に係る信号を画像解析してユーザの顔の向きを認識する機能部である。画像認識部３３は、情報端末装置１の内部に実装される。画像認識部３３は、制御部８によって制御される。画像認識部３３は、認識したユーザの顔の向きに係る情報を制御部８に向けて出力する。ユーザの顔の向きに係る情報は、制御部８において表示部２での画面の向きやスピーカ４、５、６の出力の適正化を行うのに利用される。
【００８３】
その他の構成及び動作は、実施形態１〜３と同様である。
【００８４】
実施形態４によれば、実施形態１〜３と同様な効果を奏するとともに、地磁気に左右されることがないため、ユーザが寝転んだ状態で端末を保持し動画等を視聴している場合においても、画面の向きやスピーカの出力を適正化することができる。
【００８５】
［実施形態５］
本発明の実施形態５に係る情報端末装置について図面を用いて説明する。図１４は、本発明の実施形態５に係る情報端末装置の外観構成を模式的に示した外観図である。
【００８６】
実施形態５は、実施形態１〜４の変形例であり、スピーカ４、５、６、４０の個数を４個とし、表示部２側の面の矩形状の四隅に実装したものである。その他の構成は、実施形態１〜４と同様である。実施形態５では、ユーザに対して右上又は右下側に配置された１つのスピーカから右チャンネルの中高域のステレオ信号を出力し、ユーザに対して左上又は左下側に配置された１つのスピーカから左チャンネルの中高域のステレオ信号を出力し、残り２つのスピーカから低域のモノラル信号を出力するように制御することができる。例えば、情報端末装置１の姿勢が図１４の状態では、スピーカ６から右チャンネルの中高域のステレオ信号、スピーカ４０から左チャンネルの中高域のステレオ信号、スピーカ４、５から低域のモノラル信号を出力することができる。
【００８７】
実施形態５によれば、実施形態１〜４と同様な効果を奏する。
【００８８】
［実施形態６］
本発明の実施形態６に係る情報端末装置について図面を用いて説明する。図１５は、本発明の実施形態６に係る情報端末装置の外観構成を模式的に示した外観図である。
【００８９】
実施形態６は、実施形態１〜４の変形例であり、スピーカ４２、４３、４４、４５の個数を４個とし、表示部２側の面の矩形状の四辺の各辺の中央付近に実装したものである。その他の構成は、実施形態１〜４と同様である。実施形態６では、ユーザに対して右側に配置されたスピーカから右チャンネルの中高域のステレオ信号を出力し、ユーザに対して左側に配置されたスピーカから左チャンネルの中高域のステレオ信号を出力し、残り上下の２つのスピーカから低域のモノラル信号を出力するように制御することができる。例えば、情報端末装置１の姿勢が図１５の状態では、スピーカ４４から右チャンネルの中高域のステレオ信号、スピーカ４２から左チャンネルの中高域のステレオ信号、スピーカ４３、４５から低域のモノラル信号を出力することができる。
【００９０】
実施形態６によれば、実施形態１〜４と同様な効果を奏する。
【００９１】
［実施形態７］
本発明の実施形態７に係る情報端末装置について図面を用いて説明する。図１６は、本発明の実施形態７に係る情報端末装置の外観構成を模式的に示した外観図である。
【００９２】
実施形態７は、実施形態１〜４の変形例であり、スピーカ４、６、４６の個数を３個とし、表示部２側の面の矩形状の対角の２箇所と、表示部２側の面の任意の１箇所と、に実装したものである。その他の構成は、実施形態１〜４と同様である。実施形態７では、ユーザに対して右側に配置されたスピーカ（スピーカ４６を除く）から右チャンネルの中高域のステレオ信号を出力し、ユーザに対して左側に配置されたスピーカ（スピーカ４６を除く）から左チャンネルの中高域のステレオ信号を出力し、残り１つのスピーカ４６から低域のモノラル信号を出力するように制御することができる。例えば、情報端末装置１の姿勢が図１６の状態では、スピーカ６から右チャンネルの中高域のステレオ信号、スピーカ４から左チャンネルの中高域のステレオ信号、スピーカ４６から低域のモノラル信号を出力することができる。
【００９３】
実施形態７によれば、実施形態１〜４と同様な効果を奏するとともに、スピーカ４６の実装位置は特に規定する必要はなく、スピーカ４、６より大きな口径のスピーカを搭載することにより、良好なウーハとして使用することも可能である。
【００９４】
なお、本出願において図面参照符号を付している場合は、それらは、専ら理解を助けるためのものであり、図示の態様に限定することを意図するものではない。
【００９５】
また、本発明の全開示（請求の範囲及び図面を含む）の枠内において、さらにその基本的技術思想に基づいて、実施形態ないし実施例の変更・調整が可能である。また、本発明の請求の範囲の枠内において種々の開示要素（各請求項の各要素、各実施形態ないし実施例の各要素、各図面の各要素等を含む）の多様な組み合わせないし選択が可能である。すなわち、本発明は、請求の範囲及び図面を含む全開示、技術的思想にしたがって当業者であればなし得るであろう各種変形、修正を含むことは勿論である。
【００９６】
（付記）
本発明の第１の視点においては、情報端末装置において、画像を表示する表示部と、前記表示部の周囲の所定の位置に配置されるとともに、音情報を出力する３つ以上のスピーカと、前記音情報のうち左チャンネルのステレオ信号を所定周波数未満の低域のステレオ信号と、前記所定周波数以上の中高域のステレオ信号との２つに分割する第１フィルタと、前記音情報のうち右チャンネルのステレオ信号を前記所定周波数未満の低域のステレオ信号と、前記所定周波数以上の中高域のステレオ信号との２つに分割する第２フィルタと、前記第１フィルタからの前記左チャンネルの低域のステレオ信号と、前記第２フィルタからの前記右チャンネルの低域のステレオ信号と、を合成した低域のモノラル信号を生成するミキサと、前記第１フィルタからの前記左チャンネルの中高域のステレオ信号と、前記第２フィルタからの前記右チャンネルの中高域のステレオ信号と、前記ミキサからの前記低域のモノラル信号と、を前記３つ以上のスピーカに振り分けるセレクタと、ユーザが保持している情報端末装置の姿勢を検出する姿勢検出部と、前記姿勢検出部で検出した前記情報端末装置の姿勢に応じて、前記表示部の前記画像の向きを切り替えるとともに、前記スピーカに入力される信号を切り替えるように前記セレクタを制御する制御部と、を備え、前記制御部は、前記３つ以上のスピーカのうち、ユーザに対して右側のスピーカの少なくとも１つに前記右チャンネルの中高域のステレオ信号が入力され、前記ユーザに対して左側のスピーカの少なくとも１つに前記左チャンネルの中高域のスピーカ信号が入力され、かつ、その他のスピーカに前記低域のモノラル信号が入力されるように前記セレクタを制御することを特徴とする。
【００９７】
本発明の前記情報端末装置において、前記制御部の制御に応じて、前記第１フィルタからの前記左チャンネルの中高域のステレオ信号と、前記第２フィルタからの前記右チャンネルの中高域のステレオ信号と、前記ミキサからの前記低域のモノラル信号と、の増幅量を変えて前記セレクタに向けて出力するイコライザを備えることが好ましい。
【００９８】
本発明の前記情報端末装置において、前記制御部は、音量設定が所定値未満又は音質重視設定のときに、前記第１フィルタからの前記左チャンネルの中高域のステレオ信号と、前記第２フィルタからの前記右チャンネルの中高域のステレオ信号と、前記ミキサからの前記低域のモノラル信号と、を増幅させないように制御し、前記音量設定が前記所定値以上又は音量重視設定のときに、前記第１フィルタからの前記左チャンネルの中高域のステレオ信号と、前記第２フィルタからの前記右チャンネルの中高域のステレオ信号と、を増幅させ、かつ、前記ミキサからの前記低域のモノラル信号を増幅させないように制御することが好ましい。
【００９９】
本発明の前記情報端末装置において、前記制御部は、前記３つ以上のスピーカのうち、前記ユーザに対して右側のスピーカの少なくとも１つに前記右チャンネルの中高域のステレオ信号、及び、前記低域のモノラル信号が入力され、前記ユーザに対して左側のスピーカの少なくとも１つに前記左チャンネルの中高域のスピーカ信号、及び、前記低域のモノラル信号が入力され、かつ、前記その他のスピーカに前記低域のモノラル信号が入力されるように前記セレクタを制御することが好ましい。
【０１００】
本発明の前記情報端末装置において、前記姿勢検出部は、地磁気を利用して、ユーザが保持している前記情報端末装置の姿勢を検出する地磁気センサであることが好ましい。
【０１０１】
本発明の前記情報端末装置において、前記姿勢検出部は、前記表示部側の面に配置されるとともに、動画又は静止画を撮影するカメラと、前記カメラで撮影された画像に係る信号を画像解析してユーザの顔の向きを認識する画像認識部と、を備えることが好ましい。
【０１０２】
本発明の前記情報端末装置において、前記３つ以上のスピーカは、前記表示部側の面の矩形状の四隅のうちいずれか３つ以上の部分に配置されていることが好ましい。
【０１０３】
本発明の前記情報端末装置において、前記３つ以上のスピーカは、前記表示部側の面の矩形状の四辺の各辺ののうちいずれか３つ以上の辺の中央付近に配置されていることが好ましい。
【０１０４】
本発明の前記情報端末装置において、前記３つ以上のスピーカは、前記表示部側の面の矩形状の対角の２箇所と、前記表示部側の面の任意の１箇所と、に配置されていることが好ましい。
【０１０５】
本発明の第２の視点においては、画像を表示する表示部と、前記表示部の周囲の所定の位置に配置されるとともに、音情報を出力する３つ以上のスピーカと、前記音情報のうち左チャンネルのステレオ信号を所定周波数未満の低域のステレオ信号と、前記所定周波数以上の中高域のステレオ信号との２つに分割する第１フィルタと、前記音情報のうち右チャンネルのステレオ信号を前記所定周波数未満の低域のステレオ信号と、前記所定周波数以上の中高域のステレオ信号との２つに分割する第２フィルタと、前記第１フィルタからの前記左チャンネルの低域のステレオ信号と、前記第２フィルタからの前記右チャンネルの低域のステレオ信号と、を合成した低域のモノラル信号を生成するミキサと、前記第１フィルタからの前記左チャンネルの中高域のステレオ信号と、前記第２フィルタからの前記右チャンネルの中高域のステレオ信号と、前記ミキサからの前記低域のモノラル信号と、を前記３つ以上のスピーカに振り分けるセレクタと、ユーザが保持している情報端末装置の姿勢を検出する姿勢検出部と、前記表示部及び前記セレクタを制御する制御部と、を備える情報端末装置を用いて音響を制御する音響制御方法であって、前記制御部において、前記姿勢検出部で検出した前記情報端末装置の姿勢に応じて、前記表示部の前記画像の向きを切り替えるとともに、前記３つ以上のスピーカのうち、ユーザに対して右側のスピーカの少なくとも１つに前記右チャンネルの中高域のステレオ信号が入力され、前記ユーザに対して左側のスピーカの少なくとも１つに前記左チャンネルの中高域のスピーカ信号が入力され、かつ、その他のスピーカに前記低域のモノラル信号が入力されるように前記セレクタを制御する工程を含むことを特徴とする。
【０１０６】
本発明の第３の視点においては、画像を表示する表示部と、前記表示部の周囲の所定の位置に配置されるとともに、音情報を出力する３つ以上のスピーカと、前記音情報のうち左チャンネルのステレオ信号を所定周波数未満の低域のステレオ信号と、前記所定周波数以上の中高域のステレオ信号との２つに分割する第１フィルタと、前記音情報のうち右チャンネルのステレオ信号を前記所定周波数未満の低域のステレオ信号と、前記所定周波数以上の中高域のステレオ信号との２つに分割する第２フィルタと、前記第１フィルタからの前記左チャンネルの低域のステレオ信号と、前記第２フィルタからの前記右チャンネルの低域のステレオ信号と、を合成した低域のモノラル信号を生成するミキサと、前記第１フィルタからの前記左チャンネルの中高域のステレオ信号と、前記第２フィルタからの前記右チャンネルの中高域のステレオ信号と、前記ミキサからの前記低域のモノラル信号と、を前記３つ以上のスピーカに振り分けるセレクタと、ユーザが保持している情報端末装置の姿勢を検出する姿勢検出部と、前記表示部及び前記セレクタを制御する制御部と、を備える情報端末装置を用いて音響を制御するプログラムであって、前記制御部において、前記姿勢検出部で検出した前記情報端末装置の姿勢に応じて、前記表示部の前記画像の向きを切り替えるとともに、前記３つ以上のスピーカのうち、ユーザに対して右側のスピーカの少なくとも１つに前記右チャンネルの中高域のステレオ信号が入力され、前記ユーザに対して左側のスピーカの少なくとも１つに前記左チャンネルの中高域のスピーカ信号が入力され、かつ、その他のスピーカに前記低域のモノラル信号が入力されるように前記セレクタを制御するステップを実行させることを特徴とする。
【符号の説明】
【０１０７】
１  情報端末装置
２  表示部
３  操作部
４、５、６  スピーカ
７  姿勢検出部
８  制御部
１１  コーデック（ＣＯＤＥＣ）
１２、１３  デジタルフィルタ（ＤＦ）
１４  ミキサ（ＭＩＸ）
１５  イコライザ
１５ａ、１５ｂ、１５ｃ  イコライザ部
１６  セレクタ
１７、１８、１９  Ｄ／Ａコンバータ
２０、２１、２２  スピーカアンプ
３１  地磁気センサ
３２  カメラ
３３  画像認識部
４０、４２、４３、４４、４５、４６  スピーカ
【図１】
2014175670.tif 000003
【図２】
2014175670.tif 000004
【図３】
2014175670.tif 000005
【図４】
2014175670.tif 000006
【図５】
2014175670.tif 000007
【図６】
2014175670.tif 000008
【図７】
2014175670.tif 000009
【図８】
2014175670.tif 000010
【図９】
2014175670.tif 000011
【図１０】
2014175670.tif 000012
【図１１】
2014175670.tif 000013
【図１２】
2014175670.tif 000014
【図１３】
2014175670.tif 000015
【図１４】
2014175670.tif 000016
【図１５】
2014175670.tif 000017
【図１６】
2014175670.tif 000018